(57)【要約】【課題】外部から内部の視認性と内部から外部への放熱性との向上を図る。【解決手段】可動枠１０３の裏面に設けられた電源装置１におけるケースカバー３と回路基板４とによって囲まれた内部空間に存在する回路基板の電気部品から放出された熱が内部空間からケースカバー３と回路基板４との間に形成された隙間７８；９６を経由して電源装置１の外部に適切に放熱され、人が電源装置１の外部から光の透過する性質の有る合成樹脂からなるケースカバー３を通して内部空間の電気部品を容易かつ適切に見える。【選択図】図１
2006130151.tif 000002
【特許請求の範囲】
【請求項１】
遊技機枠における可動枠の裏面に設けられた遊技機の電源装置において、可動枠に取り付けられるケースベースと、交流を遊技機に使用する電圧の異なる複数の直流に変換するための電気部品の実装された回路基板と、光の透過する性質の有る合成樹脂により形成されて回路基板の電気部品を覆うようにケースベースに取り付けられたケースカバーとを備え、回路基板とケースカバーとによって囲まれた内部空間に存在する回路基板の電気部品から放出された熱を内部空間から電源装置の外部に放出するための隙間がケースカバーと回路基板との間に形成されたことを特徴とする遊技機の電源装置。
【発明の詳細な説明】
【技術分野】
【０００１】
本発明は、外部から内部の視認性と内部から外部への放熱性とが向上する遊技機の電源装置に関する。
【背景技術】
【０００２】
遊技機の電源装置は、多数の放熱孔の開けられた金属製のケースの内部に、交流２４ボルトを遊技機に使用する電圧の異なる複数の直流に変換するための電気部品の実装された回路基板を格納している。しかしながら、近年、電源装置の外部から内部の視認性を向上して不正行為を防止することが求められている。そこで、電源装置が遊技機枠に取り付けられた場合に、ケースにおける遊技機枠の裏側に向けられる部分を光の透過する性質の有る合成樹脂により形成することも考えられるけれども、単に、ケースの一部を光の透過する性質の有る合成樹脂により形成した場合、電源装置の内部から外部への放熱性が悪くなり、にわかに採用しがたいという欠点がある。
【特許文献１】特開２０００−３５４６５４号公報
【発明の開示】
【発明が解決しようとする課題】
【０００３】
発明が解決しようとする問題点は、外部から内部の視認性と内部から外部への放熱性との両立が図れないという点である。
【課題を解決するための手段】
【０００４】
本発明に係る遊技機の電源装置は、遊技機枠における可動枠の裏面に設けられた遊技機の電源装置において、可動枠に取り付けられるケースベースと、交流を遊技機に使用する電圧の異なる複数の直流に変換するための電気部品の実装された回路基板と、光の透過する性質の有る合成樹脂により形成されて回路基板の電気部品を覆うようにケースベースに取り付けられたケースカバーとを備え、回路基板とケースカバーとによって囲まれた内部空間に存在する回路基板の電気部品から放出された熱を内部空間から電源装置の外部に放出するための隙間がケースカバーと回路基板との間に形成されたことを最も主要な特徴とする。
【発明の効果】
【０００５】
本発明に係る遊技機の電源装置は、電気的に動作した電気部品から放出された熱が、回路基板とケースカバーとによって囲まれた内部空間からケースカバーと回路基板との間に形成された隙間を経由して電源装置の外部に適切に放熱されるので、放熱性が向上するという利点があり、ケースカバーが光の透過する性質の有る合成樹脂により形成されているので、人が電源装置の外部からケースカバーを通して内部空間の電気部品を容易かつ適切に見える。よって、電源装置の外部から内部の視認性向上と電源装置の内部から外部への放熱性向上とが図れるという利点がある。
【発明を実施するための最良の形態】
【０００６】
図１乃至図１０は、遊技機としてパチンコ機を例とした発明を実施するための最良の形態である。図１は、パチンコ機の可動枠１０３における電源装置１の取り付けられた部分を裏側から示す。図２は、電源装置１を分解して示す。図３は、ケースカバー３を示す。図４は、放熱板４６を示す。図５は、ケースベース２に回路基板４を取り付けた構造を図２に示すＡ−Ａ線に沿い切断した断面を示す。図６は、電源装置１を図２に示すＡ−Ａ線に沿い切断した断面を示す。図７は、ケースカバー３を仮想線で表示した電源装置１の外観を示す。図８は、電源装置１を図７に示す矢印Ｂ方向から見た平面を示す。図９は、電源装置１を図７に示す矢印Ｃ方向から見た側面を示す。図１０は、電源装置１の取り付けられた遊技機枠１０１を裏側から示す。
【０００７】
図１を参照し、電源装置１がパチンコ機の可動枠１０３の裏面に取り付けられた構造について説明する。電源装置１を取り付けるための取付台１１６が、可動枠１０３の遊技主体棚１０７よりも下部に位置し、可動枠１０３の裏面に、可動枠１０３の裏側から取付台１１６を貫通して可動枠１０３に締結された図外の止ねじで取り付けられる。電源装置１における光の透過する性質の有る合成樹脂からなるケースベース２が、可動枠１０３を裏側から見た場合に特定される可動枠１０３の左側から取付台１１６の裏面に設けられた図外のガイドに滑り込まされた後、取付台１１６の裏側から取付台１１６に締結された止ねじ１１７で取付台１１６の裏面に取り付けられる。ケースベース２には、回路基板４が、電源装置１の裏側から回路基板４を貫通した止ねじ７５で取り付けられる。回路基板４にはアルミニウムのような放熱性のよい金属からなる放熱器４５やアルミニウムのような放熱性のよい金属からなる放熱板４６が実装される。回路基板４と放熱板４６との間には隙間７８；９６が形成されるように、放熱板４６が回路基板４に実装される。電源装置１における光の透過する性質の有る合成樹脂からなるケースカバー３は、多数の放熱孔３９を備える。
【０００８】
そして、ケースカバー３が、回路基板４に実装された放熱器４５や放熱板４６との間に隙間９１乃至９４を形成するように被せられた状態において、放熱板４６や回路基板４に止ねじ８１；８５で取り付けられる。これによって、回路基板４に実装された電源装置１の交流２４ボルトを遊技機に使用する電圧の異なる複数の直流に変換するための電気部品が回路基板４と放熱器４５と放熱板４６およびケースカバー３とによって囲まれた内部空間に存在し、電気部品が電気的に動作したことによって、電気部品から放出された熱が、内部空間から上記隙間７８；９６；９１乃至９４ならびに放熱孔３９を経由して電源装置１の外部に適切に放熱される。また、ケースカバー３が光の透過する性質の有る合成樹脂により形成されているので、人が電源装置１の外部からケースカバー３を通して内部空間の電気部品を容易かつ適切に見える。つまり、最良の形態の電源装置１によれば、電源装置１の外部から内部の視認性向上と電源装置１の内部から外部への放熱性向上とが図れるという利点がある。
【０００９】
図２を参照し、電源装置１の構造について説明する。ケースベース２は、ベース基板１１、４つの側壁１２；１３；１４；１５、支持台１６、ねじ取付孔１７、受台１８；１９、押さえ突起２０、残渣孔２１、装置取付孔２２を備える。ベース基板１１は、回路基板４より大きな方形である。側壁１２乃至１５は、ベース基板１１の周縁から回路基板４と向き合う方向にベース基板１１の板面の１つである表面と直角となるように突出し、互いに四隅で分離される。側壁１２乃至１５で囲まれた方形な開口は、回路基板４よりも大きな方形である。１つの側壁１２とこれに隣接するもう１つの側壁１５におけるベース基板１１の表面からの高さは、残る２つの側壁１３；１４におけるベース基板１１の表面からの高さよりも高い。
【００１０】
支持台１６は、相対峙する一対の側壁１２；１３の側で、ベース基板１１から回路基板４と向き合う方向に突出する。支持台１６の回路基板４と向き合う方向に位置する上面は、ベース基板１１の表面と平行な１つの平面内に位置する。支持台１６の上面とベース基板１１の表面との間の寸法である高さは、高さの高い側壁１２；１５におけるベース基板１１の表面からの高さよりも低く、高さの低い側壁１３；１４におけるベース基板１１の表面からの高さよりも高いので、回路基板４における周縁部のケースベース２に向き合う方向の裏面が支持台１６の上面に個別に載せられた場合、回路基板４の周縁部における端面が、高さの高い側壁１２；１５に、ベース基板１１の表面と平行な方向で対向し、高さの低い側壁１３；１４よりもベース基板１１の表面から離れる方向に突出するように、回路基板４が周壁で囲まれた方形の開口に配置される。ねじ取付孔１７は、止ねじ７５；８４のねじ部を締結するために、支持台１６の上面とベース基板１１の裏面とへの貫通孔として形成され、回路基板４の周縁部が支持台１６の上面に個別に載せられた場合、回路基板４のねじ挿入孔と個別に位置が合う。
【００１１】
受台１８は、高さの高い側壁１２の側で、ベース基板１１から回路基板４と向き合う方向に突出し、側壁１２に連接される。受台１９は、高さの高い側壁１２に隣接する高さの低い１つの側壁１４の側で、ベース基板１１から回路基板４と向き合う方向に突出し、側壁１３に連接される。受台１８；１９の上面とベース基板１１の表面との間の寸法である高さは、支持台１６のベース基板１１の表面からの高さと同じであるので、回路基板４の周縁部における裏面が支持台１６の上面に個別に載せられた場合、回路基板４の周縁部が受台１８の上面にも載せられる。押さえ突起２０は、高さの高い側壁１２からベース基板１１の表面と平行に対向する方向に突出する。
【００１２】
押さえ突起２０におけるベース基板１１の表面の側に位置する下面と受台１８の上面との間の寸法は、回路基板４の表面と裏面との間の厚さＴと同じか同じ程度であって、押さえ突起２０の下面と受台１８の上面との間に回路基板４の周縁部が挟み込こまれ、挟み込まれた回路基板４における周縁部の裏面が受台１８の上面に接触した場合、回路基板４における周縁部の表面が押さえ突起２０の下面に接触し、押さえ突起２０が回路基板４におけるケースカバー３の側への移動を規制する。残渣孔２１は、ケースベース２を成形するための成形型（ケースベース成形型）に合成樹脂からなる成形材料を入れることによって、ケースベース２がベース基板１１、側壁１２乃至１５、支持台１６、ねじ取付孔１７、受台１８、押さえ突起２０、残渣孔２１、装置取付孔２２を備えた形態に成形される場合において、ケースベース成形型における押さえ突起２０を形成するための移動型要素を抜いた跡として、ベース基板１１の表面と裏面とへの貫通孔として残されたものである。装置取付孔２２は、周壁が互いに分離された四隅に位置し、ベース基板１１の四隅に、ベース基板１１の表面と裏面とへの貫通孔として形成される。
【００１３】
ケースカバー３は、カバー基板２５、一側壁２６、リブ２７、取付足２８；２９；３０、ねじ取付孔３１、ねじ挿入孔３２；３３、ガイド３４、支持片３５；３６、脚立突起３７、保持突起３８、放熱孔３９；４０を備える。カバー基板２５は、回路基板４における放熱器４５と放熱板４６とで囲まれた部分よりも小さな方形であって、一隅部に放熱板４６の斜壁６３と対応する斜めの切除部４１を備える。一側壁２６は、回路基板４における放熱器４５と放熱板４６と互いに離れた開口の側に位置し、カバー基板２５の一縁部から回路基板４と向き合う方向にカバー基板２５の板面の１つである表面と直角となるように突出する。一側壁２６におけるカバー基板２５の表面からの高さは、放熱板４６の回路基板４の表面からの高さよりも低い。リブ２７は、カバー基板２５の３つの周縁部と一側壁２６の両側部とをつなぐ補強壁である。
【００１４】
取付足２８は、図３にも示すように、ケースカバー３と放熱板４６とを止ねじ８１で結合するものであって、ケースベース２の高さの高い側壁１２の側に位置し、リブ２７から放熱器４５の側に突出するように、リブ２７に設けられる。取付足２８には、止ねじ８１のねじ部を締結するために、ねじ取付孔３１が、カバー基板２５の表面と平行な方向への貫通孔として形成される。取付足２９は、ケースカバー３と放熱器４５とを止ねじ８２で結合するものであって、一側壁２６の側に位置し、回路基板４の放熱器４５の側に位置するリブ２７から放熱器４５の側に突出するように、リブ２７に設けられる。取付足２９には、止ねじ８２のねじ部を挿入するために、ねじ取付孔３１が上部から内部に窪む溝として形成される。取付足３０は、ケースベース２とケースカバー３とを止ねじ８４で結合するものであって、一側壁２６の側に位置し、取付足２９の設けられたリブ２７と一側壁２６を挟んで対向する側のリブ２７から回路基板４の方向に突出した縦片と、縦片の下部から外側に直角に曲がった横片とを備え、横片に止ねじ８４のねじ部を挿入するために、ねじ挿入孔３３が、横片の表面と裏面とへの貫通孔として形成される。
【００１５】
ガイド３４は、図３にも示すように、ケースカバー３が回路基板４に被せられる場合、放熱板４６との間に隙間を形成するように案内するために、カバー基板２５における取付足３０の側に位置する一側縁部から外側に突出する。支持片３５は、ケースカバー３が回路基板４に被せられる場合、放熱板４６の斜壁６３の上に接触するために、カバー基板２５の切除部４１から外側に突出する。支持片３６は、ケースカバー３が回路基板４に被せられる場合、放熱器４５の上に接触するために、カバー基板２５における取付足２９の側に位置する一側縁部から外側に突出する。
【００１６】
図２に戻り、脚立突起３７は、ケースカバー３が回路基板４に被せられる場合、回路基板４の表面に接触し、一側壁２６と回路基板４との間に隙間を形成するために、一側壁２６の内側面から回路基板４の方向に突出する。保持突起３８は、ケースカバー３が回路基板４に被せられる場合、回路基板４の逃部５７に嵌め込まれるために、一側壁２６から回路基板４の方向に突出し、一側壁２６が外側から内側に向けて押された場合、保持突起３８が逃部を形成する回路基板４に接触し、一側壁２６が外側から内側に撓まないように保持する。放熱孔３９は、カバー基板２５の表面と裏面とへの貫通孔として、カバー基板２５に全面的に設けられる。放熱孔４０は、一側壁２６の外側面と内側面とへの貫通孔として、一側壁２６に全面的に設けられる。放熱孔３９の貫通方向と放熱孔４０の貫通方向とは、互いに直交する。図２において、カバー基板２５の四隅に位置する放熱孔３９を図示し、それら以外の放熱孔３９は、図示を省略したが、これら四隅の放熱孔３９を結ぶ仮想線Ｌ１で囲まれた領域の内部にも形成されている。一側壁２６の両側に位置する放熱孔４０を図示し、それら以外の放熱孔４０は、図示を省略したが、これら両側の放熱孔４０を結ぶ仮想線Ｌ２で囲まれた領域の内部にも形成されている。
【００１７】
回路基板４は、横長な帯状の方形なプリント配線板により形成される。回路基板４には、放熱器４５、放熱板４６、電源装置１に必要な電気部品が挿入実装や面実装によって実装される。これらの実装された電気部品は互いに、回路基板４に設けられたプリント配線のような箔状の導体によって、電源回路を形成するように接続される。回路基板４に実装された電気部品のうちで、外部から接続または操作の必要な電気部品は、回路基板４に長手方向の一側部に集約して配置される。この外部から接続または操作の必要な電気部品としては、電源スイッチ４７、リセットスイッチ４８、入力コネクタ４９、複数の出力コネクタ５０、フレームグランドコネクタ５１、複数のヒューズ５２である。外部から接続または操作の必要な電気部品以外の電気部品としては、整流回路、平滑回路、定電源回路などを構成する、チョークコイルまたはインダクター５３、コンデンサ５４、抵抗器５５、図外のダイオードである。
【００１８】
放熱器４５は、外部から接続または操作の必要な電気部品と外部から接続または操作の必要な電気部品以外の電気部品との間に位置し、回路基板４の表面に接触し、回路基板４に固定される。放熱板４６は、外部から接続または操作の必要な電気部品以外の電気部品を囲むように、ケースベース２の高さの高い側壁１２の側に位置する回路基板４における１つの縁部とケースベース２の高さの高い側壁１５の側と位置する回路基板４におけるもう１つの縁部とに位置し、回路基板４の表面から上方に離れるように固定される。放熱板４６の具体的な構造については、図４で説明する。回路基板４には、ねじ挿入孔５６、逃部５７、切欠部５８が設けられる。ねじ挿入孔５６は、止ねじ７５；８４のねじ部を挿入するために、ケースベース２のねじ取付孔１７に対応する位置に、回路基板４の表面と裏面とへの貫通孔として形成される。逃部５７は、ケースカバー３の保持突起３８を嵌め込むために、回路基板４の一縁部に、当該一縁部の外側から内部に窪み、回路基板４の表面と裏面とにも貫通する溝として形成される。切欠部５８は、回路基板４の四隅が、装置取付孔２２に挿入される止ねじ１１７の頭部を逃げるように、外側から内部に弧状に切除された形状である。
【００１９】
図４を参照し、放熱板４６の構造について説明する。放熱板４６は、帯状の板材から２つの側壁６１；６２が１つの斜壁６３でつながれ、側壁６１と側壁６２とが互いに直角となる挟角を有する形状である。側壁６１の一端部には、当板６４が、側壁６１から側壁６２と平行するように折り曲げられる。側壁６２の一端部には、当板６５が、側壁６２から側壁６１と平行するように折り曲げられる。側壁６１；６２および斜壁６３には、取付足６６が設けられる。取付足６６は、放熱板４６が図２の回路基板４に取り付けられる場合、側壁６１；６２および斜壁６３と回路基板４との間に隙間を形成するよう、側壁６１；６２および斜壁６３から下方に突出した縦片と、縦片の下部から内側に直角に曲がった横片とを備え、横片に図外の止ねじを締結するために、ねじ取付孔６７が、横片の表面と裏面とへの貫通孔として形成される。側壁６１には、取付足６８が、側壁６１から側壁６２の反対側の外側へと直線的に突出した形状に設けられる。取付足６８は、放熱板４６が図２の回路基板４に取り付けられる場合、回路基板４の図２の放熱器４５に図８の止ねじ８５で取り付けられるために、ねじ挿入孔６９が、取付足６８の外側面と内側面とへの貫通孔として形成される。側壁６１の上部には、ねじ挿入孔７０が、側壁６１の外側面と内側面とへの貫通孔として形成される。斜壁６３の上部には、凹部７１が、斜壁６３の上面から内部に窪み、斜壁６３の外側面と内側面とへの貫通する溝として形成される。
【００２０】
図２、図５乃至図９を参照し、電源装置１の組み立て方について説明する。図２において、先ず、ケースベース２と回路基板４とが次のように組み立てられる。回路基板４に電気部品が実装された状態において、回路基板４の電気部品が上に向けられ、回路基板４が押さえ突起２０を避け、回路基板４の裏面が支持台１６および受台１８；１９の上に載せられた後、回路基板４が側壁１３の側から側壁１２の側に移動されることによって、回路基板４の一側部が受台１８と押さえ突起２０との間に挿入されて側壁１２の内側面に接触し、回路基板４のねじ挿入孔５６とケースベース２のねじ取付孔１７とが互いに上下方向で合う。その状態において、止ねじ７５が回路基板４の上方からねじ挿入孔５６を経由してねじ取付孔１７に締結されることによって、回路基板４がケースベース２の４つの側壁１２乃至１５で囲まれた開口の内部において、回路基板４の裏面がベース基板１１と対向し、回路基板４が図５に示すようにケースベース２に取り付けられる。図５において、７６は、図２におけるチョークコイルまたはインダクター５３、コンデンサ５４、抵抗器５５、図外のダイオードなどからなる電気部品を示し、７７は半田である。半田７７は、放熱板４６の取付足６６を回路基板４に取り付けた図外の止ねじを回路基板４における図外の箔状の導体からなるバンプに固定するように付けられる。このように、放熱板４６が回路基板４に取り付けられた場合、放熱板４６の側壁６１；６２、斜壁６３、図４の当板６４、当板６５と回路基板４との間には、隙間７８が形成される。
【００２１】
次に、図２において、ケースカバー３が回路基板の電気部品７６を覆うようにケースベース２に次のように組み立てられる。ケースカバー３の取付足２８が放熱板４６の側壁６１における側壁６２の側に位置する内側に配置され、ガイド３４が放熱板４６の側壁６２における側壁６１の側に位置する内側に配置される。また、リブ２７が、放熱板４６の側壁６１の内側、放熱板４６の側壁６２の内側、放熱板４６の当板６５の内側、放熱器４５の側壁６１の側に位置する内側のそれぞれに配置され、支持片３５が放熱板４６の凹部７１に上方から嵌め込まれて受け止められ、支持片３６が放熱器４５の上面に載せられて接触し、保持突起３８が回路基板４の逃部５７に上方から嵌め込まれ、脚立突起３７が回路基板４の表面に載せられて接触し、取付足２９が放熱器４５の外側面に接触し、取付足２８が放熱板４６の側壁６１の内側面に接触し、ガイド３４が放熱板４６の側壁６２の内側面に接触する。その状態において、止ねじ８１が放熱板４６の外側からねじ挿入孔７０を経由して取付足２８のねじ取付孔３１に締結され、止ねじ８２がケースカバー３の横方向からねじ挿入孔３２を経由して放熱器４５の外側面から内部に形成された雌ねじ孔８３に締結され、止ねじ８４がケースカバー３の上方からねじ挿入孔３３および回路基板４のねじ挿入孔５６を経由してねじ取付孔１７に締結される。これによって、図６および図７に示すように、ケースカバー３が回路基板の電気部品７６を覆い隠してケースベース２に取り付けられる。
【００２２】
図７のように、電源装置１がケースベース２とケースカバー３および回路基板４から組み立てられた場合において、電源装置１は、次のような隙間を有する。電源装置１を図７に示す矢印Ｂ方向から見た場合、図８に示すように、ケースカバー３と放熱器４５との間には隙間９１が形成され、ケースカバー３と放熱板４６の側壁６１との間には隙間９２が形成され、ケースカバー３と放熱板４６の斜壁６３との間には隙間９３が形成され、ケースカバー３と放熱板４６の当板６５との間には隙間９５が形成される。図８における符号８５は、放熱板４６の取付足６８を放熱板４６の外側から放熱器４５に締結した止ねじである。また、電源装置１を図７に示す矢印Ｃ方向から見た場合、図９に示すように、ケースカバー３と回路基板４との間には隙間９６が形成され、ケースカバー３と放熱器４５との間には隙間９７が形成され、回路基板４とケースベース２の側壁１３との間には隙間９８が形成される。
【００２３】
よって、ケースベース２とケースカバー３および回路基板４から組み立てられ電源装置１において、回路基板４に実装された電源装置１の交流２４ボルトを遊技機に使用する電圧の異なる複数の直流に変換するための電気部品７６が回路基板４と放熱器４５と放熱板４６およびケースカバー３とによって囲まれた内部空間に存在し、電気部品７６が電気的に動作したことによって、電気部品７６から放出された熱が、ケースカバー３と回路基板４と放熱器４５および放熱板４６で囲まれた内部空間から図８および図９に示す隙間７８；９１乃至９８ならびに図２に示す放熱孔３９；４０を経由して電源装置１の外部に適切に放熱され、また、ケースベース２とケースカバー３とが光の透過する性質の有る合成樹脂により形成され、人が電源装置１の外部からケースカバー３を通して内部空間の電気部品や回路基板４の箔状の導体からなる配線を容易かつ適切に見ることができるので、最良の形態の電源装置１によれば、電源装置１の外部から内部の視認性向上と電源装置１の内部から外部への放熱性向上とが図れるという利点がある。
【００２４】
図１０を参照し、電源装置１が取り付けられたパチンコ機の遊技機枠１０１を裏側から見た構造について説明する。遊技機枠１０１は、固定枠１０２と可動枠１０３とを備える。固定枠１０２は、パチンコ店の図外の遊技機設置構造体に取り付けるための外枠と呼ばれるものであって、前後方向に開放された縦長な長方形の空間を囲む額縁形状である。可動枠１０３は、前枠または中枠と呼ばれ、遊技主体である図外の遊技盤を格納するための前後方向に開放された縦長な長方形の遊技主体収納室１０４を囲む額縁形状であって、固定枠１０２にヒンジ１０５により横方向の矢印Ｘ１の前側と矢印Ｘ２の後側とに片開き可能にかつ着脱可能に取り付けられる。遊技主体収納室１０４の背壁には、中央開口部１０６が形成される。遊技主体収納室１０４の下縁部は、遊技盤を載せる左右方向に水平で平坦な遊技主体棚１０７を形成する。可動枠１０３の裏面には、球払出装置１０８が、中央開口部１０６の周囲に配置されて可動枠１０３の裏側から取り付けられる。球払出装置１０８では、球払出機構１０９の電気的な図外の駆動源が遊技機枠の裏面または遊技盤の裏面に設けられた図外の制御装置から出力された払出開始信号により動作すると、球払出機構１０９のスプロケットのような球払出体１１０がタンク構造体１１１から球払出機構１０９に供給されている球を１個ずつ分離しつつ払い出し、球払出機構１０９の図外の球検出器が球払出体１１０から払い出された球を電気的に検出した球払出信号を上記制御装置に出力し、球検出器を通過した球が縦樋１１２から満タン検出機構１１３および横樋１１４を経由して可動枠１０３の前側における図外の球皿構造体に払い出される。制御装置は、球検出器から入力された球払出信号をカウントアップまたはカウントダウンする。カウントアップした場合は、球払出信号を１ずつ加算した値が制御装置における払出開始信号を出力する対象となった球払出個数と同数になると、制御装置が球払出機構１０９の駆動源に払出停止信号を出力する。カウントダウンした場合は、制御装置における払出開始信号を出力する対象となった球払出個数を１ずつ減算し、球払出個数が「０」になると、制御装置が球払出機構１０９の駆動源に払出停止信号を出力する。図１０の符号１１５は、球発射機構である。球発射機構１１５は、パチンコ球とばれる球を可動枠１０３の前側において遊技盤に向けて発射する。
【図面の簡単な説明】
【００２５】
【図１】可動枠の電源装置周りを裏側から示す斜視図（最良の形態）。
【図２】電源装置を示す分解斜視図（最良の形態）。
【図３】ケースカバーを示す斜視図（最良の形態）。
【図４】放熱板を示す斜視図（最良の形態）。
【図５】ケースベースと回路基板との組立Ａ−Ａ線断面図（最良の形態）。
【図６】電源装置の組立Ａ−Ａ線断面図（最良の形態）。
【図７】電源装置の外観斜視図（最良の形態）。
【図８】電源装置の図７の矢印Ｂ方向からの平面図（最良の形態）。
【図９】電源装置の図７の矢印Ｃ方向からの側面図（最良の形態）。
【図１０】遊技機枠を裏側から示す斜視図（最良の形態）。
【符号の説明】
【００２６】
１      電源装置
２      ケースベース
３      ケースカバー
４      回路基板
７８    隙間
９１    隙間
９２    隙間
９３    隙間
９４    隙間
９５    隙間
９６    隙間
９７    隙間
９８    隙間
１０１  遊技機枠
１０３  可動枠
【図１】
2006130151.tif 000003
【図２】
2006130151.tif 000004
【図３】
2006130151.tif 000005
【図４】
2006130151.tif 000006
【図５】
2006130151.tif 000007
【図６】
2006130151.tif 000008
【図７】
2006130151.tif 000009
【図８】
2006130151.tif 000010
【図９】
2006130151.tif 000011
【図１０】
2006130151.tif 000012